(57)【要約】【課題】  土地基盤面に熟練を要せずに短期間で綺麗な模様仕上げ施工が容易にできる施工法を提供する。【解決手段】  土地基盤面を清掃する第１工程と、その上面に目地形成薄膜層を形成する第２工程と、第２工程で形成された目地形成薄膜層の上面に、裏面に粘着剤層を備えた各種模様・形状の打ち抜き穴部を有する粘着性型紙を貼着する第３工程と、第２工程と第３工程を終えて得られた目地形成層と各種模様・形状の穴あき部を有する粘着性型紙との全面に表層材を塗布する第４工程と、第４工程を終えた粘着性型紙を剥離・撤去する第５工程とからなる。【選択図】  図１
2006089951.tif 000002
【特許請求の範囲】
【請求項１】
土地基盤面を清掃する第１工程と、その上面に目地形成薄膜層を形成する第２工程と、第２工程で形成された目地形成薄膜層の上面に、裏面に粘着剤層を備えた各種模様・形状の打ち抜き穴部を有する粘着性型紙を貼着する第３工程と、第２工程と第３工程を終えて得られた目地形成薄膜層と各種模様・形状の穴あき部を有する粘着性型紙との全面に表層材を塗布する第４工程と、第４工程を終えた粘着性型紙を剥離・撤去する第５工程とからなることを特徴とする土地基盤面の模様仕上げ施工法。
【請求項２】
第１工程の土地基盤面が、土地基盤の上にコンクリートが打設されてなるものである場合は、そのコンクリート打設面の清掃面にプライマー処理を施した後、第２工程以下を適用することを特徴とする請求項１記載の土地基盤面の模様仕上げ施工法。
【請求項３】
第１工程の土地基盤面が、土地基盤の上にアスファルト舗装がなされているものである場合は、そのアスファルト舗装面に第２工程以下を適用することを特徴とする請求項１記載の土地基盤面の模様仕上げ施工法。
【請求項４】
第５工程の次に、ＭＭＡ樹脂等の透明トップコート樹脂を吹き付け塗布する第６工程を付加することを特徴とする請求項１〜３のいずれか１項に記載の土地基盤面の模様仕上げ施工法。
【請求項５】
第６工程の次に、撥水剤を含むＭＭＡ樹脂等の透明トップコート樹脂をロール塗布する第７工程を付加することを特徴とする請求項４に記載の土地基盤面の模様仕上げ施工法。
【請求項６】
第２工程での目地形成薄膜層又は／及び第４工程での表層材が、細骨材を含む樹脂系塗料であることを特徴とする請求項１〜５のいずれか１項に記載の土地基盤面の模様仕上げ施工法。
【請求項７】
細骨材が、球形と角形のものを混有してなることを特徴とする請求項６に記載の土地基盤面の模様仕上げ施工法。
【請求項８】
粘着性型紙が、裏面に粘着剤層を有するプラスチックシート又は紙製シートであることを特徴とする請求項１〜７のいずれか１項に記載の土地基盤面の模様仕上げ施工法。
【請求項９】
粘着性型紙が、剥離紙と粘着剤層とプラスチックシート又は紙製シートからなる３層構造のものであることを特徴とする請求項１〜７のいずれか１項に記載の土地基盤面の模様仕上げ施工法。
【請求項１０】
プライマー処理材と目地形成薄膜層形成材がＭＭＡ系樹脂であり、表層材形成材がウレタン変性アルキッド系樹脂であることを特徴とする請求項２、４〜９のいずれか１項に記載の土地基盤面の模様仕上げ施工法。
【請求項１１】
土地基盤が公園路面であることを特徴とする請求項１〜１０のいずれか１項に記載の土地基盤面の模様仕上げ施工法。
【請求項１２】
土地基盤が市街地歩道面であることを特徴とする請求項１〜１０のいずれか１項に記載の土地基盤面の模様仕上げ施工法。
【請求項１３】
土地基盤が商店街路面であることを特徴とする請求項１〜１０のいずれか１項に記載の土地基盤面の模様仕上げ施工法。
【請求項１４】
土地基盤が駐車場路面であることを特徴とする請求項１〜１０のいずれか１項に記載の土地基盤面の模様仕上げ施工法。
【請求項１５】
請求項１〜１４のいずれか１項に記載の土地基盤面の模様仕上げ施工法において目地形成薄膜層の上面に貼着されて使用される粘着性型紙であって、剥離紙−粘着剤層−型紙表層を順次複層してなり、内側に各種模様・形状の打ち抜き穴部を有する各種模様・形状の打ち抜き穴部を有する粘着性型紙。
【発明の詳細な説明】
【技術分野】
【０００１】
本願発明は、例えば、商店街の歩道、公園、学校あるいは駐車場等の土地基盤面に対する模様仕上げ施工法に関する。
【背景技術】
【０００２】
一般に、商店街の歩道、公園、駐車場等の表面は単純なアスファルト又はコンクリート舗装されていて、審美性に欠けるものが多く、また、その表面は滑り易いものであったりした。
そこで従来、土地基盤面上に滑り止め・審美性仕上げを行うには、アスファルト又はセメントコンクリート舗装層の表面に、合成樹脂材やモルタルを塗布して、表面処理を行なうか、又は磁器タイルやコントリートブロックを敷き詰める等をしていた。
【０００３】
前記したごとく滑りにくく、審美性のよい土地基盤面を得るためには、合成樹脂材等により表面処理を行なったり、磁器タイルを敷き詰めていたが、施工が容易でないことやコスト面でも有利でない問題があった。
【発明の開示】
【発明が解決しようとする課題】
【０００４】
よって、本願発明は、審美性に優れ、かつ容易に施工できる土地基盤面の模様仕上げ施工法を提供することを目的とする。
【課題を解決するための手段】
【０００５】
すなわち本願発明は下記構成の土地基盤面の模様仕上げ施工法である。
（１）土地基盤面を清掃する第１工程と、その上面に目地形成薄膜層を形成する第２工程と、第２工程で形成された目地形成薄膜層の上面に、裏面に粘着剤層を備えた各種模様・形状の打ち抜き穴部を有する粘着性型紙を貼着する第３工程と、第２工程と第３工程を終えて得られた目地形成薄膜層と各種模様・形状の穴あき部を有する粘着性型紙との全面に表層材を塗布する第４工程と、第４工程を終えた粘着性型紙を剥離・撤去する第５工程とからなることを特徴とする土地基盤面の模様仕上げ施工法。
（２）第１工程の土地基盤面が、土地基盤の上にコンクリートが打設されてなるものである場合は、そのコンクリート打設面の清掃面にプライマー処理を施した後、第２工程以下を適用することを特徴とする前記（１）記載の土地基盤面の模様仕上げ施工法。
（３）第１工程の土地基盤面が、土地基盤の上にアスファルト舗装がなされているものである場合は、そのアスファルト面に第２工程以下を適用することを特徴とする前記（１）記載の土地基盤面の模様仕上げ施工法。
【０００６】
（４）第５工程の次に、ＭＭＡ樹脂等の透明トップコート樹脂を吹き付け塗布する第６工程を付加することを特徴とする前記（１）〜（３）のいずれか１項に記載の土地基盤面の模様仕上げ施工法。この場合の、透明トップコート樹脂の吹き付けは、後記（６）又は（７）での骨材の固着のために行われ、０．１〜０．３ｋｇ／ｍ2（標準的には０．２ｋｇ／ｍ2前後）の厚みに、好ましくはスプレーで塗布（ローラー塗布では目地部に骨材粒子が入り仕上がりが汚れる）する。
（５）第６工程の次に、撥水剤を含むＭＭＡ樹脂等の透明トップコート樹脂をロール塗布する第７工程を付加することを特徴とする前記（４）に記載の土地基盤面の模様仕上げ施工法。
この場合の、透明トップコート樹脂のローラー塗布は、後記（６）又は（７）での骨材の凹凸を調整し、適度の滑り抵抗性を確保するとともに汚れが付きにくく、かつ汚れが落ちやすい仕上がりとするため、若干多めのＭＭＡ樹脂をローラー塗布（０．３〜０．５ｋｇ／ｍ2（標準的には０．３ｋｇ／ｍ2前後）の厚みにする。これにはシリコンなどの撥水剤を添加しておくことが好ましい。
【０００７】
（６）第２工程での目地形成薄膜層又は／及び第４工程での表層材が、細骨材を含む樹脂系塗料であることを特徴とする前記（１）〜（５）のいずれか１項に記載の土地基盤面の模様仕上げ施工法。
（７）細骨材が、球形と角形のものを混有してなることを特徴とする前記（６）に記載の土地基盤面の模様仕上げ施工法。
（８）粘着性型紙が、裏面に粘着剤層を有するプラスチックシート又は紙製シートであることを特徴とする前記（１）〜（７）のいずれか１項に記載の土地基盤面の模様仕上げ施工法。
（９）粘着性型紙が、剥離紙と粘着剤層とプラスチックシート又は紙製シートからなる３層構造のものであることを特徴とする前記（１）〜（７）のいずれか１項に記載の土地基盤面の模様仕上げ施工法。
（１０）プライマー処理材と目地形成薄膜層形成材がＭＭＡ系樹脂であり、表層材形成材がウレタン変性アルキッド系樹脂であることを特徴とする前記（２）〜（９）のいずれか１項に記載の土地基盤面の模様仕上げ施工法。
（１１）土地基盤が公園路面であることを特徴とする前記（１）〜（１０）のいずれか１項に記載の土地基盤面の模様仕上げ施工法。
（１２）土地基盤が市街地歩道面であることを特徴とする前記（１）〜（１０）のいずれか１項に記載の土地基盤面の模様仕上げ施工法。
（１３）土地基盤が商店街路面であることを特徴とする前記（１）〜（１０）のいずれか１項に記載の土地基盤面の模様仕上げ施工法。
（１４）土地基盤が駐車場路面であることを特徴とする前記（１）〜（１０）のいずれか１項に記載の土地基盤面の模様仕上げ施工法。
（１５）前記（１）〜（１４）のいずれか１項に記載の土地基盤面の模様仕上げ施工法において目地形成薄膜層の上面に貼着されて使用される粘着性型紙であって、剥離紙−粘着剤層−プラスチックシート又は紙製シートを順次複層してなり、内側に各種模様・形状の打ち抜き穴部を有する各種模様・形状の打ち抜き穴部を有する粘着性型紙。
【発明の効果】
【０００８】
本願発明によれば、熟練を要せずに綺麗な模様仕上げ施工が容易にできる。
施工においては、型紙を容易・確実に貼着でき、綺麗な模様仕上げ層を短期間に形成することができる。
また、表面層又は／及び目地形成薄膜層に球形と角形の細骨材を混在させる発明においては、汚れが少なくかつ滑り止め効果のよい土地基盤面の模様仕上げ面が得られる。
【発明を実施するための最良の形態】
【０００９】
本発明の実施の形態について説明する。
【実施例】
【００１０】
以下、図面を参照しながら本願発明の一実施例を詳細に説明する。
図１は本願発明実施例の施工工程を示す工程図、図２は本願発明実施例の施工工程における断面説明図、図３は本願発明実施例に用いられる型紙の一部断面説明図、図４は土地基盤面に形成される各種模様仕上げ面の平面図である。
【００１１】
図においてＧは土地基盤面、１はプライマー層、２は目地形成薄膜層、２’は充填材又は細骨材、３は表面層、４は細骨材、４ａは球形の細骨材、４ｂは角形の細骨材、５は型紙、５ａはプラスチックシート又は紙製シート、５ｂは粘着剤層、５ｃは剥離紙、６は目地部、７：各種模様・形状の打ち抜き穴部である。
【００１２】
本願発明実施例の施工法について説明する。
図１に示すごとく、まず第１工程において、土地基盤面Ｇを必要に応じて不陸調整を行った後、清掃する。
次いで、前記土地基盤の上にコンクリート打設されている場合は、コンクリート打設面の清掃面にプライマー処理を施してプライマー層１を形成する。プライマー層１を形成するプライマー処理材としては、ＭＭＡ系樹脂のプレポリマーを用い、０．２ｋｇ／ｍ2程度塗布する。
次に第２工程において、そのプライマー層１の上面に、アスファルト舗装の場合はアスファルト舗装面に、充填材（例えば珪砂、大理石粉等）又は細骨材（珪砂、砂、スラグ細粒等）２’を１０〜９０重量％混有させたＭＭＡ系樹脂樹脂塗料である下地目地形成材を吹き付け又はロール塗布等により塗着（不陸の程度に応じて０．２〜３．０ｋｇ／ｍ2）して目地形成薄膜層２を形成する。
第３工程において、第２工程で形成された目地形成薄膜層２の上面に、裏面に粘着剤層５ｂを備えたプラスチックシート又は紙製シート５ａからなる各種模様・形状の打ち抜き穴部７を有する粘着性型紙５を貼着する。（以上、図２のＡ図参照。）
前記プラスチックシート又は紙製シート５ａとしては、厚さ０．４ｍｍのものを使用したが、熱膨張・収縮の少ない紙製のもの、リサイクル可能な再生紙を使用することも好ましい。
特に、紙製のものは、夏期の炎天下又は厳寒時においても熱による膨張・収縮が殆どなく、かつ一定の柔軟性を保持するため、型紙が反ったりして変形することがなく、また硬化して取り扱いにくくなるようなことはなく、正確な模様・形状の審美性に優れた土地基盤面の模様仕上げ施工ができる。
また、生分解性のプラスチックシートを使用してもよい。
【００１３】
第４工程において、第２工程と第３工程を終えて得られた目地形成薄膜層２と各種模様・形状の穴あき部７を有する粘着性型紙５との全面に上方から細骨材４を混有したウレタン変性アルキッド系樹脂塗料からなる表層材３を吹き付けて塗布（０．５〜１．５ｋｇ／ｍ2×１層又は２層）・形成する。細骨材は、球状形のものと角形のものを混有させることが好ましく、混合比は１：０．５〜２程度が好ましく、それらの粒径は０．１ｍｍ〜２．０ｍｍが好ましい。（以上、図２のＢ図参照。）
その後、第５工程において、第４工程を終えた粘着性型紙５を剥離・撤去して目地部６を形成し、本発明の土地基盤面の模様仕上げ施工が完了する。（以上、図２のＣ図参照。）
【００１４】
なお、第５工程の次に、ＭＭＡ樹脂等の透明トップコート樹脂を吹き付け塗布する第６工程を付加することもできる。この場合の、透明トップコート樹脂の吹き付けは、骨材の固着のために行われ、０．１〜０．３ｋｇ／ｍ2（標準的には０．２ｋｇ／ｍ2前後）の厚みに、好ましくはスプレーで塗布（ローラー塗布では目地部に骨材粒子が入り仕上がりが汚れる）する。
さらに、第６工程の次に、撥水剤を含むＭＭＡ樹脂等の透明トップコート樹脂をロール塗布する第７工程を付加することもできる。この場合の、透明トップコート樹脂のローラー塗布は、骨材の凹凸を調整し、適度の滑り抵抗性を確保するとともに汚れが付きにくく、かつ汚れが落ちやすい仕上がりとするため、若干多めのＭＭＡ樹脂をローラー塗布（０．３〜０．５ｋｇ／ｍ2（標準的には０．３ｋｇ／ｍ2前後）の厚みにする。これにはシリコンなどの撥水剤を添加しておくことが好ましい。
なお、型紙５は図３にその一部断面説明図を示すごとく、剥離紙５ｃ−粘着剤層５ｂ−プラスチックシート又は紙製シート５ａが順次複層される３層構造からなり、内側に図４に例示する各種模様仕上げ面における目地部６を形成する各種模様・形状の打ち抜き穴部７を有するものであり、使用時には、剥離紙５ｃを剥がして取り除いてから、図２（Ａ）に示すごとく粘着剤層５ｂを目地形成薄膜層２面に圧着するごとくして貼着する。
【００１５】
上記実施例においては、細骨材に球形と角形のものを用いた結果、靴底が角形の細骨材に接触して高い滑り抵抗を示し、また、球形の細骨材によって表層材の強度を向上させることとなる。その結果、滑り抵抗があって歩行者が足を取られることなく、かつ表層材の摩耗量も少ない土地基盤面の模様仕上げ層となる。
【産業上の利用可能性】
【００１６】
本願発明の土地基盤面の模様仕上げ施工法は、市街地の歩道面、公園路面、商店街路面、学校あるいは駐車場路面等の土地基盤面に好適に適用できる。
【図面の簡単な説明】
【００１７】
【図１】本願発明実施例の施工工程を示す工程図、
【図２】本願発明実施例の施工工程における断面説明図、
【図３】本願発明実施例に用いられる型紙の一部断面説明図、
【図４】本願発明実施例により土地基盤面に形成される各種模様仕上げ面の平面図。
【符号の説明】
【００１８】
１：プライマー層、
２：目地形成薄膜層、
２’：充填材又は細骨材、
３：表面層、
４：細骨材、
４ａ：球形の細骨材、
４ｂ：角形の細骨材、
５：型紙、
５ａ：プラスチックシート又は紙製シート、
５ｂ：粘着剤層、
５ｃ：剥離紙、
６：目地部、
７：各種模様・形状の打ち抜き穴部
Ｇ：土地基盤面、
【図１】
2006089951.tif 000003
【図２】
2006089951.tif 000004
【図３】
2006089951.tif 000005
【図４】
2006089951.tif 000006